(57)【要約】【課題】骨組み構造を構成する縦・横・斜めの骨組み材に漁具が引っ掛かることを適切かつ確実に妨げることが可能であると共に、構造がきわめて簡単で、市場に多量に流通されている安価な材料を用いて容易に製作することが可能な鋼製人工魚礁を提供する。【解決手段】縦方向の縦材３、横方向の横材４及び斜め方向の斜材５を含む鋼製骨組み材から組み立てられる三次元立体格子状の骨組み構造で構成される鋼製人工魚礁であって、少なくともいずれかの骨組み材は、その長さ方向と直交する断面に現れるいずれかの端部８が骨組み材の長さ方向に延びる突条縁辺１０を構成し、突条縁辺にはこれに沿って、端部から骨組み材外方へ向けて迫り出して、突条縁辺を釣り針Ｒから遮蔽するための軸状の遮蔽部材１１が接合され、端部周りに現れる遮蔽部材の軸周りの形態は、釣り針の掛止が不能である。【選択図】図２
2019180277.tif 000002
【特許請求の範囲】
【請求項１】
縦方向の縦材、横方向の横材及び斜め方向の斜材を含む鋼製骨組み材から組み立てられる三次元立体格子状の骨組み構造で構成される鋼製人工魚礁であって、
少なくともいずれかの上記骨組み材は、その長さ方向と直交する断面に現れるいずれかの端部が該骨組み材の長さ方向に延びる突条縁辺を構成し、
該突条縁辺にはこれに沿って、上記端部から上記骨組み材外方へ向けて迫り出して、該突条縁辺を釣り針から遮蔽するための軸状の遮蔽部材が接合され、
上記端部周りに現れる上記遮蔽部材の軸周りの形態は、釣り針の掛止が不能であることを特徴とする鋼製人工魚礁。
【請求項２】
前記遮蔽部材は、前記骨組み構造の外面に位置する前記骨組み材の前記突条縁辺に接合されることを特徴とする請求項１に記載の鋼製人工魚礁。
【請求項３】
前記骨組み材は、前記骨組み構造の外面を規定する平面部を有し、前記遮蔽部材は、上記骨組み材の上記平面部よりも上記骨組み構造の内方へ寄せた位置に設けられることを特徴とする請求項２に記載の鋼製人工魚礁。
【請求項４】
前記骨組み材は一対の前記端部を有し、前記遮蔽部材は、これら一対の端部が構成する一対の前記突条縁辺にそれぞれ接合されることを特徴とする請求項１〜３いずれかの項に記載の鋼製人工魚礁。
【請求項５】
前記遮蔽部材の軸周りの形態は角部を有しないことを特徴とする請求項１〜４いずれかの項に記載の鋼製人工魚礁。
【請求項６】
前記遮蔽部材は、軸周りの形態が円形である丸鋼または円形鋼管であることを特徴とする請求項５に記載の鋼製人工魚礁。
【請求項７】
前記骨組み構造には、部分的に鋼製板材が張られ、該板材のいずれかの縁辺にはこれに沿って、該縁辺から該板材外方へ向けて迫り出して、該縁辺を釣り針から遮蔽するための軸状の第２の遮蔽部材が接合され、
上記縁辺周りに現れる上記第２の遮蔽部材の軸周りの形態は、釣り針の掛止が不能であることを特徴とする請求項１〜６いずれかの項に記載の鋼製人工魚礁。
【発明の詳細な説明】
【技術分野】
【０００１】
本発明は、骨組み構造を構成する縦・横・斜めの骨組み材に漁具が引っ掛かることを適切かつ確実に妨げることが可能であると共に、構造がきわめて簡単で、市場に多量に流通されている安価な材料を用いて容易に製作することが可能な鋼製人工魚礁に関する。
【背景技術】
【０００２】
角形鋼管や山形鋼（アングル材）などの骨組み材を溶接接合するなどして、三次元立体格子状の骨組み構造に組み立てた鋼製人工魚礁が知られている。
【０００３】
人工魚礁は、海底に沈設され、渦流効果や逃避効果、付設される鋼製板材等による陰影効果などが得られることにより、稚魚や底魚等が当該人工魚礁の内部や周辺に蝟集し、そしてまた、それら稚魚等を餌とする中・大型魚を集めることができる。人工魚礁は、例えば、各地域の漁業協同組合や公共団体が漁場の造成を目的として、海底に設置される。
【０００４】
人工魚礁に蝟集した中・大型魚を漁獲するときには、網や釣り具（釣り針）等の漁具が用いられる。これら網や釣り具等の漁具は、潮流に流されるなどして人工魚礁に近づき、当該人工魚礁に引っ掛かってしまって漁が妨げられたり、漁具自体が破損してしまうおそれがあった。
【０００５】
この種の課題を解決可能な技術として、特許文献１が知られている。特許文献１の「鋼製魚礁」は、漁具の引っ掛かりを防止し、漁具の損傷を少なくして漁獲能率の低下を防ぎ、且つ安心して漁を行い得る鋼製魚礁を提供することを課題とし、鋼材を縦横斜めに設けて構造された鋼製魚礁において、この魚礁の少なくとも外周部に設けられている鋼板が、水平に設けられる鋼板については魚礁の外周側に該当する縁部分が上向きに曲げられ、傾斜して設けられる鋼板については下側の縁部分が傾斜角度に応じて上又は下向きに曲げられ、垂直に設けられる鋼板については下側の縁部分が魚礁の内部方向に曲げられてなっている。
【０００６】
特許文献１では要するに、骨組み構造の鋼製人工魚礁に設けられる鋼板に関し、それらの縁部分を折り曲げることで、漁具の引っ掛かりを防止するようにしている。
【先行技術文献】
【特許文献】
【０００７】
【特許文献１】特開２０００−１２５６９３号公報
【発明の概要】
【発明が解決しようとする課題】
【０００８】
特許文献１の鋼製魚礁は、鋼材と鋼板から構成されていて、折り曲げることによって鋼板に対する漁具の引っ掛かり防止は期待できるものの、形鋼からなる鋼材については何らの対策もなされてはおらず、依然として、形鋼に漁具が引っ掛かるおそれがあって、鋼製人工魚礁としては、さらに改善の余地があると考えられる。
【０００９】
仮に、形鋼の向きを、潮流を考慮し、漁具が引っ掛かり難い向きに定めて、鋼製魚礁を組み立てることが考えられる。しかしながら、潮流は短時間のうちに時々刻々変化し、また、魚などの外部要因によって、浮遊する漁具が様々な向きに動くことから、形鋼の向きを定めたとしても、漁具の引っ掛かりを適切かつ確実に防ぐことができるとは言えなかった。
【００１０】
本発明は上記従来の課題に鑑みて創案されたものであって、骨組み構造を構成する縦・横・斜めの骨組み材に漁具が引っ掛かることを適切かつ確実に妨げることが可能であると共に、構造がきわめて簡単で、市場に多量に流通されている安価な材料を用いて容易に製作することが可能な鋼製人工魚礁を提供することを目的とする。
【課題を解決するための手段】
【００１１】
本発明にかかる鋼製人工魚礁は、縦方向の縦材、横方向の横材及び斜め方向の斜材を含む鋼製骨組み材から組み立てられる三次元立体格子状の骨組み構造で構成される鋼製人工魚礁であって、少なくともいずれかの上記骨組み材は、その長さ方向と直交する断面に現れるいずれかの端部が該骨組み材の長さ方向に延びる突条縁辺を構成し、該突条縁辺にはこれに沿って、上記端部から上記骨組み材外方へ向けて迫り出して、該突条縁辺を釣り針から遮蔽するための軸状の遮蔽部材が接合され、上記端部周りに現れる上記遮蔽部材の軸周りの形態は、釣り針の掛止が不能であることを特徴とする。
【００１２】
前記遮蔽部材は、前記骨組み構造の外面に位置する前記骨組み材の前記突条縁辺に接合されることを特徴とする。
【００１３】
前記骨組み材は、前記骨組み構造の外面を規定する平面部を有し、前記遮蔽部材は、上記骨組み材の上記平面部よりも上記骨組み構造の内方へ寄せた位置に設けられることを特徴とする。
【００１４】
前記骨組み材は一対の前記端部を有し、前記遮蔽部材は、これら一対の端部が構成する一対の前記突条縁辺にそれぞれ接合されることを特徴とする。
【００１５】
前記遮蔽部材の軸周りの形態は角部を有しないことを特徴とする。
【００１６】
前記遮蔽部材は、軸周りの形態が円形である丸鋼または円形鋼管であることを特徴とする。
【００１７】
前記骨組み構造には、部分的に鋼製板材が張られ、該板材のいずれかの縁辺にはこれに沿って、該縁辺から該板材外方へ向けて迫り出して、該縁辺を釣り針から遮蔽するための軸状の第２の遮蔽部材が接合され、上記縁辺周りに現れる上記第２の遮蔽部材の軸周りの形態は、釣り針の掛止が不能であることを特徴とする。
【発明の効果】
【００１８】
本発明にかかる鋼製人工魚礁にあっては、骨組み構造を構成する縦・横・斜めの骨組み材に漁具が引っ掛かることを適切かつ確実に妨げることができると共に、構造がきわめて簡単で、市場に多量に流通されている安価な材料を用いて容易に製作することができる。
【図面の簡単な説明】
【００１９】
【図１】本発明に係る鋼製人工魚礁の好適な一実施形態を説明する説明図であって、図１（Ａ）は、鋼製人工魚礁の全体斜視図、図１（Ｂ）は、鋼製人工魚礁を構成する格子状ユニットの一例を示す斜視図である。
【図２】図１に示した鋼製人工魚礁を構成する骨組み材の長さ方向と直交する断面であって、遮蔽部材を接合して設けた様子を示す説明図である。
【図３】釣り針の一例を示す図である。
【図４】図１に示した鋼製人工魚礁の鋼製骨組み材及び鋼製板材それぞれに遮蔽部材を接合した様子を説明する説明図である。
【発明を実施するための形態】
【００２０】
以下に、本発明にかかる鋼製人工魚礁の好適な一実施形態を、添付図面を参照して詳細に説明する。図１には、本実施形態に係る鋼製人工魚礁の構成を説明する説明図が示されている。図１（Ａ）は、鋼製人工魚礁の全体斜視図であり、図１（Ｂ）は、鋼製人工魚礁を構成する格子状ユニットの一例を示す斜視図である。
【００２１】
鋼製人工魚礁１は、工場等で製作された複数の格子状ユニット２を港湾等のヤードで接合することによって組み立てられる。組み立てられた鋼製人工魚礁１は、台船に搭載されて設置海域へ運ばれ、台船のクレーンによって海底に沈設される。
【００２２】
鋼製人工魚礁１の組立要素である各格子状ユニット２は、細長い軸状の鋼製骨組み材３，４，５から三次元立体格子状の骨組み構造に組み立てられる。図示例では、格子状ユニット２は、四角柱状のものが示されているが、その他の形態であってもよいことはもちろんである。
【００２３】
鋼製人工魚礁１は、上下左右に配列されるこれら格子状ユニット２の隣接するもの同士が互いに接合されることにより、骨組み材３，４，５からなる三次元立体格子状の骨組み構造に構成される。図示例の鋼製人工魚礁１は、屋根面部６を有する平面方形状の建屋形態の骨組み構造に組み立てられている。また図示例では、鋼製人工魚礁１の四隅に配置される格子状ユニット２に、その内部に組み込んで、増殖機能を目的としたＦＲＰ製や鋼製の蛇籠７が設けられている。
【００２４】
格子状ユニット２、そしてまた鋼製人工魚礁１を構成する鋼製骨組み材３，４，５には、上下縦方向の縦材３、左右横方向の横材４、上下斜め方向や左右斜め方向の斜材５が用いられる。鋼製人工魚礁１において、縦材３は柱、横材４は梁、斜材５は筋交いとしての役割を果たす。
【００２５】
鋼製人工魚礁１を構成するこれら骨組み材３，４，５としては、従来周知のように、市場に多量に流通されている安価な材料、例えば形鋼や鋼管が用いられる。形鋼や鋼管は、帯状や板状の平鋼に比し、高い断面性能が得られる。特に、形鋼は廉価で、鋼製人工魚礁１の材料費を低減でき、また、溶接接合による組立性が、鋼管に比し、良好である点で好ましい。
【００２６】
本実施形態では、図２に示すように、使用する形鋼の例として、山形鋼（アングル材）が例示されている。鋼製人工魚礁１に用いる形鋼としては、山形鋼に限らず、溝形鋼（断面コ字状のチャンネル材）など、どのようなものであってもよい。
【００２７】
さらに、形鋼や鋼管の用い方として、縦材３に鋼管を用い、横材４及び斜材５に形鋼を用いたり、あるいは、縦材３及び横材４に鋼管を用い、斜材５だけに形鋼を用いたり、または、縦材３、横材４及び斜材５のすべてに形鋼を用いてもよい。少なくともいずれかの骨組み材３，４，５に形鋼を用いることで、材料費の低減と組立性の容易化が確保される。
【００２８】
細長い軸状のいずれかの鋼製骨組み材３，４，５に形鋼を用いることで、当該骨組み材３，４，５の長さ方向と直交する断面には、図２に示すように、当該断面の材端をなす端部８が現れる。断面の材端をなす端部８は、図２に示した山形鋼であれば、１つの折曲部９（これは材央の端部と考えても良い）を挟んで２箇所に現れる。溝形鋼であれば、図示しないけれども、同様の端部８が、２つの折曲部９を挟んで、２箇所に現れる。
【００２９】
この断面に現れる材端の端部８を骨組み材３，４，５の長さ方向に見ると、図４（Ａ）〜（Ｃ）を見ることで理解されるように、当該端部８は、骨組み材３，４，５の長さ方向に延びる突条形態の真っ直ぐな縁辺１０（以下、突条縁辺と称する）を構成する。図４（Ａ）は縦材３、図４（Ｂ）は横材４、図４（Ｃ）は斜材５の要部拡大斜視図である。すなわち、骨組み材３，４，５の突条縁辺１０は、当該骨組み材３，４，５外方へ突出する厚さの薄い突起が骨組み材３，４，５の長さ方向に連続する形態を呈する。このような突条縁辺１０には、釣り針Ｒが引っ掛かりやすく、上述した課題が生じることになる。
【００３０】
図３には、一般的な釣り針Ｒの形状が示されている。釣り針Ｒは、当該釣り針Ｒを構成する線材の材端にカエシｒ１を有する針先ｒ２が形成され、この針先ｒ２から順次、先曲げｒ３、胴曲げｒ４の曲げ加工部位を経て、軸（胴）ｒ５に至り、この軸ｒ５から針先ｒ２に亘る湾曲部の内方がフトコロｒ６とされ、また、軸ｒ５の先は、チモトｒ７の折り曲げ加工部位で折曲形成されている。
【００３１】
突条縁辺１０には図２に示すように、これに沿って骨組み材３，４，５の長さ方向に、遮蔽部材１１が溶接接合される。遮蔽部材１１は、長さ方向に長い軸状に形成される。遮蔽部材１１は、厚さの薄い突起の連続として骨組み材３，４，５外方へ突出する突条縁辺１０を釣り針Ｒから遮蔽する、言い換えれば、隠すために設けられ、これにより、突条縁辺１０への釣り針Ｒの引っ掛かりを忌避するようになっている。
【００３２】
遮蔽部材１１が突条縁辺１０を「遮蔽する」あるいは「隠す」とは、遮蔽部材１１を突条縁辺１０に接合することで、骨組み材３，４，５の長さ方向と直交する断面に現れる端部８が、釣り針Ｒの掛からない形態に変更されることを言う。遮蔽部材１１は、突条縁辺１０を遮蔽する機能を果たすために、突条縁辺１０に、上記端部８から骨組み材３，４，５外方へ向けて迫り出して設けられる。
【００３３】
「迫り出す」とは、突条縁辺１０が現れる骨組み材３，４，４の端部８の形態が隠され、変更されれば、その迫り出す程度（量・寸法）は問われない（図２中、位置をずらして表示している点線Ｘを参照）。これにより、厚さの薄い突起が連続する形態を呈する突条縁辺１０の形態が、釣り針Ｒの掛からない形態に変更される。
【００３４】
突条縁辺１０に接合された遮蔽部材１１については、骨組み材３，４，５の長さ方向と直交する断面で、骨組み材３，４，５の端部８周りに現れる当該遮蔽部材１１の軸周りの形態が、釣り針Ｒの掛止が不能な、釣り針Ｒが掛からないものとされる。
【００３５】
釣り針Ｒが掛からない軸周りの形態とは、遮蔽部材１１が釣り針Ｒのフトコロｒ６に入り込まない大きさを有することをいう。あるいは、釣り針Ｒが掛からない軸周りの形態とは、遮蔽部材１１に、釣り針Ｒが引っ掛からない一連に連続した滑らかな面（湾曲面、平坦面）を備えることをいう。
【００３６】
また、滑らかな面同士が突角部を介して連続している場合でも、当該突角部が、釣り針Ｒの掛からない大きな鈍角であれば、そのような遮蔽部材１１であっても良い。さらに、釣り針Ｒが掛からない軸周りの形態とは、上記大きさ及び上記滑らかな面の双方を備えていてもよい。
【００３７】
遮蔽部材１１は、その軸周りの形態が鋼製人工魚礁１の設置される海域で使用される釣り針Ｒに対し、大きさ及び／または滑らかな面の条件を満たすものが選定される。本実施形態にあっては、遮蔽部材１１として、軸周りの形態が角部を有しない円形であって、釣り針Ｒのフトコロｒ６に入り込まない、当該フトコロｒ６よりも大きな外径寸法の丸鋼が示されている。軸周りの形態が角部を有しない円形のものとしては、円形鋼管であってもよい。
【００３８】
丸鋼は、市場に大量に流通し、サイズも様々であって、そしてまた、安価で容易に入手可能であることから、最適に用いることができる。また、丸鋼や円形鋼管であれば、図２に示すように、端部８周りのどの方向からの釣り針Ｒに対しても、引っ掛かりを妨げることができる。また、丸鋼や円形鋼管は、潮流に対する抵抗が小さい点でも優れる。
【００３９】
しかしながら、遮蔽部材１１としては、骨組み材３，４，５の端部８周りに現れる当該遮蔽部材１１の軸周りの形態が、釣り針Ｒの掛止が不能であれば、断面楕円形や断面半円形、さらには多角形断面であってもよい。
【００４０】
遮蔽部材１１はその全長に亘り、骨組み材３，４，５の突条縁辺１０に対して、隅肉溶接ｗによって溶接接合される。隅肉溶接ｗは、端部８の外形形状と遮蔽部材１１の外形形状の相違に起因して生じる隙間があっても、釣り針Ｒが掛からないように、連続隅肉溶接ｗにより当該隙間を埋めかつ端部８と遮蔽部材１１との間にできる限り滑らかな面を形成する。
【００４１】
図４（Ａ）〜（Ｃ）には、鋼製人工魚礁１を構成する骨組み構造に用いられる骨組み材の縦材３、横材４及び斜材５それぞれについて、それらが山形鋼である場合の遮蔽部材１１の取付状態が示されている。山形鋼は、１つの折曲部９を挟んで上記端部８を一対２箇所に有していて、遮蔽部材１１は、材端のこれら一対で２つの端部８それぞれに位置させて、これらによる突条縁辺１０に沿って接合される。
【００４２】
釣り針Ｒは、骨組み構造でなる鋼製人工魚礁１の最も外側に位置されてその外面を形成する骨組み材３，４，５に掛かりやすいことから、遮蔽部材１１は、骨組み構造の当該外面に位置する骨組み材３，４，５の突条縁辺１０に接合される。
【００４３】
詳細には、鋼製人工魚礁１は、骨組み構造であるとは言え、その周囲で潮流が円滑に流れるように、最も外側の骨組み材３，４，５は、当該骨組み構造の外面を規定する平面部１２を有する。言い換えれば、最も外側の骨組み材３，４，５は、その平面部１２が骨組み構造（鋼製人工魚礁１）の外面を規定するように向けて位置付けられる。
【００４４】
山形鋼を示している図４（Ａ）〜（Ｃ）では、折曲部９を形成する２つの平坦部１３，１４のうちのいずれか一方の平坦部１３の平面部１２が、骨組み構造の外面に位置付けられ、他方の平坦部１４が骨組み構造の外面より奥に位置付けられる。遮蔽部材１１は、潮流を円滑に流しその妨げとならないように、平面部１２よりも骨組み構造の内方に寄せた位置に設けられる（図２参照）。
【００４５】
鋼製人工魚礁１には、図１に示したように、屋根面部６に、その外面に沿って、蝟集効果を高める陰影を作り出すための鋼製板材１８，１９が張られる場合がある。
【００４６】
この鋼製板材１８，１９は、図４（Ｄ）及び（Ｅ）に示すように、例えばおおよそ四角形状や三角形状の外周囲の、強度を高めるための折り曲げ部１５を介して折り曲げられた材端に、骨組み材３，４，５における突条縁辺１０と同様な真っ直ぐな縁辺１６を有する。これら縁辺１６にも、釣り針Ｒが引っ掛かりやすく、上述した課題が生じることになる。
【００４７】
本実施形態にあっては、板材１８，１９の縁辺１６には、これに沿って、骨組み材３，４，５に遮蔽部材１１を接合する場合と同様にして、第２の遮蔽部材１７が溶接接合して設けられる。すなわち、第２の遮蔽部材１７は、縁辺１６を釣り針Ｒから遮蔽するための軸状に形成され、板材１８，１９の縁辺１６から板材１８，１９外方へ迫り出して設けられる。
【００４８】
図示例では、上下方向に向く縁辺よりも釣り針Ｒが掛かりやすい左右方向に向く縁辺１６に第２の遮蔽部材１７が設けられている。第２の遮蔽部材１７は、上記遮蔽部材１１と同様に、縁辺１６周りに現れる当該第２の遮蔽部材１７の軸周りの形態が、釣り針Ｒの掛止不能とされる。また、この第２の遮蔽部材１７の縁辺１６に対する設置も、上記突条縁辺１０に接合される遮蔽部材１１と同様である。
【００４９】
次に、本実施形態に係る鋼製人工魚礁１の作用について説明すると、鋼製人工魚礁１もしくは格子状ユニット２の製作に際し、当該鋼製人工魚礁１の外面に位置される骨組み材３，４，５の突条縁辺１０や鋼製板材１８，１９の折り曲げによる縁辺１６に、隅肉溶接ｗにより、丸鋼等の軸状の遮蔽部材１１や第２の遮蔽部材１７を設ける。
【００５０】
これら遮蔽部材１１，１７は、突条縁辺１０等を釣り針Ｒから遮蔽するように設けられ、それ自体の軸周りの形態が、釣り針Ｒの掛止が不能であるので、鋼製人工魚礁１を海底に沈設した後の漁に際し、潮流に流されるなどして釣り針Ｒが人工魚礁１に近づいても、図２に示すように、釣り針Ｒが縦・横・斜めの骨組み材３，４，５や板材１８，１９等に、そしてまた遮蔽部材１１，１７そのものに引っ掛かることを妨げることができる。
【００５１】
従ってまた、遮蔽部材１１，１７は、網や、釣り針Ｒ以外の釣り具などの漁具が引っ掛かる可能性も少なくすることができる。これにより、漁具が破損されないようにして、円滑に漁を行うことができる。
【００５２】
また、遮蔽部材１１及び第２の遮蔽部材１７としては、丸鋼など、市場に多量に流通されている安価な材料を用いれば足りると共に、このような安価な材料のこれら遮蔽部材１１，１７を単に骨組み材３，４，５等に隅肉溶接ｗで接合するだけで良く、構造がきわめて簡単であり、容易に製作することができる。
【００５３】
遮蔽部材１１及び第２の遮蔽部材１７を、鋼製人工魚礁１の骨組み構造の外面に位置する骨組み材３，４，５の突条縁辺１０や板材１８，１９の縁辺１６に接合するので、骨組み構造の内方に位置する骨組み材３，４，５にまで設ける構成ではなく、これら遮蔽部材１１，１７の数量及び接合工数を低減して、安価かつ少ない手間で、釣り針Ｒが掛止しない鋼製人工魚礁１を製作できると共に、鋼製人工魚礁１にその周りから近づく釣り針Ｒが引っ掛かることを適切に妨げることができる。
【００５４】
骨組み材３，４，５は、骨組み構造の外面を規定する平面部１２を有し、遮蔽部材１１は、骨組み材３，４，５の平面部１２よりも骨組み構造の内方へ寄せた位置に設けられるので、平面部１２により、鋼製人工魚礁１の外面周りで潮流を円滑に流しかつ遮蔽部材１１が当該流れの妨げになることはなく、適切に魚類を蝟集させることができる。
【００５５】
骨組み材３，４，５が一対の端部８を有する場合に、遮蔽部材１１は、これら一対の端部８が構成する一対の突条縁辺１０にそれぞれ接合されるので、骨組み材３，４，５のいずれの突条縁辺１０に対しても、釣り針Ｒの掛止を妨げることができる。
【００５６】
遮蔽部材１１及び第２の遮蔽部材１７の軸周りの形態は角部を有しない、特に軸周りの形態が円形である丸鋼や円形鋼管である場合には、釣り針Ｒの掛止を確実に妨げることができると同時に、鋼製人工魚礁１を安価に製作することができる。
【００５７】
骨組み材３，４，５が角形鋼管の場合に、その断面の隅角部を突条縁辺１０と考えることができ、当該隅角部に遮蔽部材１１を接合して、釣り針Ｒの掛止を妨げることができることは勿論である。また、形鋼の材央となる折曲部９も、上記隅角部と同様に、突条縁辺１０と考えることができて、当該折曲部９に遮蔽部材１１を接合するようにしても良い。
【符号の説明】
【００５８】
１  鋼製人工魚礁
３  縦材
４  横材
５  斜材
８  鋼製骨組み材の端部
１０  突条縁辺
１１  遮蔽部材
１２  鋼製骨組み材の平面部
１３，１４  板材
１６  板材の縁辺
１７  第２の遮蔽部材
Ｒ  釣り針
【図１】
2019180277.tif 000003
【図２】
2019180277.tif 000004
【図３】
2019180277.tif 000005
【図４】
2019180277.tif 000006